(57)【要約】【課題】  充分な吸水性能と保水性能を備え、しかも軽量で且つ裁断加工も容易に行えると共に、ビル屋上緑化、乾燥地帯の耕地化・緑化・農園化、排水浄化、断熱壁材・防音壁材等の建築内装材等に使用できる用途の広いコンクリート資材を提供する。【解決手段】  セメント２に対し、切断または破砕したスポンジもしくはスポンジ状クッション材等の柔軟性骨材３と、無機質混和剤４を使用する。さらに、これらに木炭・竹炭・鉱石微粉末・植物栄養剤のいずれかを加える。【選択図】          図１
2006027959.tif 000002
【特許請求の範囲】
【請求項１】
切断または破砕されたスポンジもしくはスポンジ状クッション材等の柔軟性骨材を使用して成ることを特徴とするコンクリート成形体。
【請求項２】
前記柔軟性骨材に加えて、無機質混和剤を含んで成る請求項１記載のコンクリート成形体。
【請求項３】
前記柔軟性骨材および無機質混和剤に加えて、さらに木炭・竹炭・鉱石微粉末・植物栄養剤のいずれかを含む請求項１または２記載のコンクリート成形体。
【請求項４】
ポルトランドセメント等のセメントに対し、切断または破砕されたスポンジもしくはスポンジ状クッション材等の柔軟性骨材と、無機質混和剤とを加えて混練し、ブロック状、板状、棒状に加工することを特徴とするコンクリート成形体の製造方法。
【請求項５】
ポルトランドセメント等のセメントに対し、切断または破砕されたスポンジもしくはスポンジ状クッション材等の柔軟性骨材と、無機質混和剤と、さらに木炭・竹炭・鉱石微粉末・植物栄養剤のいずれかとを加えて混練し、ブロック状、板状、棒状に加工することを特徴とするコンクリート成形体の製造方法。
【発明の詳細な説明】
【技術分野】
【０００１】
本発明は、例えばブロック状、板状、棒状等の種々の形状に成形され、断熱壁・防音壁等の建築内装材用、土木工事用、乾燥地帯の耕地化用、ビル屋上緑化用、排水浄化用等の広範囲な用途に使われるコンクリート成形体とその製造方法に関する。
【背景技術】
【０００２】
従来から、硬質な砕石骨材を使用することでコンクリートをポーラス（多孔質）状に固化成形し、僅かながら吸水機能と保水機能を付与させるというコンクリート成形技術が知られている。このポーラスコンクリートの本来の目的は、通気機能・透水機能を求めるところにあり、主に土木工事等に貢献している。
【特許文献１】特になし
【発明の開示】
【発明が解決しようとする課題】
【０００３】
しかしながら、従来のコンクリート成形体は、硬質な砕石骨材を使用しているため、コンクリート自体が重くなり、しかも硬いために土木工事以外の用途に適用し難いものとなるという問題点を有していた。
【０００４】
そこで、本発明は、叙上のような従来存した諸事情に鑑み創出されたもので、充分な吸水性能と保水性能を備え、しかも軽量で且つ裁断加工も容易に行えると共に、ビル屋上緑化を始め乾燥地帯の耕地化、吸水気化による排水の浄化、多空隔による断熱壁材・防音壁材等の機能を付与するための建築内装材等に使用できる用途の広い新規なコンクリート資材の提供が可能となるコンクリート成形体とその製造方法を提供することを目的とする。
【課題を解決するための手段】
【０００５】
上述した課題を解決するため、本発明に係るコンクリート成形体にあっては、切断または破砕されたスポンジもしくはスポンジ状クッション材等の柔軟性骨材を使用して成ることを特徴とする。
【０００６】
前記柔軟性骨材に加えて、無機質混和剤を含んで成るものとすることができる。
【０００７】
前記柔軟性骨材および無機質混和剤に加えて、さらに木炭・竹炭・鉱石微粉末・植物栄養剤のいずれかを含むものとすることができる。
【０００８】
一方、本発明に係るコンクリート成形体の製造方法にあっては、ポルトランドセメント等のセメントに対し、切断または破砕されたスポンジもしくはスポンジ状クッション材等の柔軟性骨材と、無機質混和剤とを加えて混練し、ブロック状、板状、棒状に加工することを特徴とする。
【０００９】
ポルトランドセメント等のセメントに対し、切断または破砕されたスポンジもしくはスポンジ状クッション材等の柔軟性骨材と、無機質混和剤と、さらに木炭・竹炭・鉱石微粉末・植物栄養剤のいずれかとを加えて混練し、ブロック状、板状、棒状に加工するものとすることができる。
【００１０】
以上のように構成された本発明に係るコンクリート成形体とその製造方法にあって、切断または破砕されたスポンジもしくはスポンジ状クッション材等の柔軟性骨材をセメントと混練することで、セメントの配合量が減量（配合比率の削減）され、これによってコンクリート成形体自体を軽量化させると共に、高い吸水性・保水性を付与させ、しかもコンクリート成形体の切断加工を容易にさせる。
【００１１】
また、セメント、柔軟性骨材それぞれの混練に際し、さらに無機質混和剤を加えることで、セメント、柔軟性骨材それぞれの付着力を強化させる。さらに、木炭・竹炭・鉱石微粉末のいずれかを加えることで、コンクリート成形体から、遠赤外線、マイナスイオン等を放出可能にさせる。また、植物栄養剤を加えることで、、コンクリート成形体自体が植物育成に効果的な栄養素源となる。
【発明の効果】
【００１２】
以上、本発明によれば、充分な吸水性能と保水性能を備え、しかも軽量で且つ裁断加工も容易に行えると共に、ビル屋上緑化を始め乾燥地帯の耕地化・緑化・農園化、または吸水気化による排水の浄化、または多空隔による断熱壁材・防音壁材等の機能を付与するための建築内装材等、種々に使用できる用途の広い新規なコンクリート資材の提供が可能となる。
【００１３】
具体的には、本発明に係るコンクリート成形体を排水路あるいは特設した浅い排水プール等に林立させると、自体の毛細管現象によって速やかに吸水して空気との広い接触面を容易に作り出すことができる。また、太陽熱あるいは強制送風等により、コンクリート成形体に吸水された排水は急速に気化して乾燥に向かい、排水の放流を皆無にすることができる。しかも、コンクリート成形体は、軽量で空隔が多いため断熱材・防音材等に使用することができる。また、コンクリート成形体は、保水性があることから当然に保肥力も大きく、特にビル屋上緑化に使用できるのに加えて、更に効果的なことはコンクリート固化しているために風による飛散が無くて塵埃化しないことである。さらに、二次製品化したものばかりでなく現場施工も可能であるから、現場の状況に合わせた形状に作りだすこともできる。
【００１４】
すなわち、これは本発明が、切断または破砕されたスポンジもしくはスポンジ状クッション材等の柔軟性骨材を使用して成るからであり、これにより、コンクリート成形体に対し、充分な吸水性能と保水性能を付与することができ、しかも軽量化が可能となり、且つ裁断加工性も向上する。特に、柔軟性骨材自体にも十分な吸水機能・保水機能を有しているため、従来のポーラスコンクリートに比し、約１０倍以上の保水機能を有するものとすることができる。
【００１５】
前記柔軟性骨材に加えて、無機質混和剤を含ませた場合、セメントの付着性能を向上させ、しかもセメントの配合比率を小さくして成形することができることとなり、これにより十分な吸水機能・保水機能を付与することができる。
【００１６】
前記柔軟性骨材および無機質混和剤に加えて、さらに木炭・竹炭・鉱石微粉末・植物栄養剤のいずれかを含ませた場合、例えば木炭・竹炭・鉱石微粉末を混入したコンクリート成形体は、遠赤外線、マイナスイオン等の放出が期待でき、断熱内装材・防音内装材等に付加価値を加えることができる。また、植物栄養剤を混入したコンクリート成形体は、充分なボリュームを持たせて乾燥地帯の地下に埋設施工すれば雨季に大量に降った雨水を相当期間保水できるものとなるから乾燥地帯の耕地化、緑化、農園化等が可能となる。
【００１７】
一方、本発明に係るコンクリート成形体の製造方法にあっては、ポルトランドセメント等のセメントに対し、切断または破砕されたスポンジもしくはスポンジ状クッション材等の柔軟性骨材と、無機質混和剤とを加えて混練し、ブロック状、板状、棒状に加工するので、充分な吸水性能と保水性能を備えた軽量なコンクリート資材の提供が可能となる。
【００１８】
また、ポルトランドセメント等のセメントに対し、切断または破砕されたスポンジもしくはスポンジ状クッション材等の柔軟性骨材と、無機質混和剤と、さらに木炭・竹炭・鉱石微粉末・植物栄養剤のいずれかとを加えて混練し、ブロック状、板状、棒状に加工するので、例えば木炭・竹炭・鉱石微粉末を混入する場合には、遠赤外線、マイナスイオン等の放出が期待でき、断熱内装材・防音内装材等に付加価値を加えることができるコンクリート成形体を容易に形成することができる。また、植物栄養剤を混入する場合には、充分なボリュームを持たせて乾燥地帯の地下に埋設施工すれば雨季に大量に降った雨水を相当期間保水できて乾燥地帯の耕地化、さらには緑化・農園化等が可能となるコンクリート成形体を容易に形成することができる。
【発明を実施するための最良の形態】
【００１９】
以下、図面を参照して本発明を実施するための最良の一形態を説明すると、図において示される符号１は、吸水気化による排水浄化用として使用されるブロック状に成形されたコンクリート成形体であり、このコンクリート成形体１は、図１（ａ）に示すように、例えばポルトランドセメント等のセメント２の骨材として、切断または破砕されたスポンジもしくはスポンジ状クッション材等の柔軟性骨材３を使用してあり、コンクリート成形体１に対し、充分な吸水性能と保水性能を付与し、軽量で且つ裁断加工も容易としてある。
【００２０】
また、柔軟性骨材３に加えて、無機質混和剤４を混練させることで、セメント２の付着性能を向上させ、しかもセメント２の配合比率を小さくしたコンクリート成形体１を形成することができる。
【００２１】
さらに、柔軟性骨材３および無機質混和剤４に加えて、これに木炭・竹炭・鉱石微粉末を混入することで、遠赤外線、マイナスイオン等を放出できる建築用の断熱内装材・防音内装材等に使用されるコンクリート成形体１を形成するようにしても良い。このとき、図１（ｂ）に示すように、コンクリート成形体１を例えば回転式カッターや電熱線等でブロック状もしくはプレート状等に切断し、各ブロック・プレートを接着剤等で壁面にタイル状に貼り付けることで容易に断熱壁・防音壁が形成される。
【００２２】
あるいは、柔軟性骨材３および無機質混和剤４に加えて、これに植物栄養剤を混入することで、乾燥地帯の耕地化、緑化、農園化等が可能となるコンクリート成形体１を形成するようにしても良い。
【００２３】
具体的な製造方法としては、例えばポルトランドセメント等のセメント２に対し、例えばスポンジもしくはスポンジ状クッション材等を切断または破砕して成る柔軟性骨材３と、無機質混和剤４とを加え、さらにこれに木炭・竹炭・鉱石微粉末・植物栄養剤のいずれかを混入あるいは含浸させてから所定量の水を加えてよく混練し、ブロック状、板状、棒状等の種々な形態に固化加工する。
【００２４】
次に、コンクリート成形体１の具体的な用途を挙げれば、図２に示すように、コンクリート成形体１を吸水気化による排水浄化用として使用されるよう例えばブロック状に成形してある。そして、排水路Ｐの中に略等間隔毎に複数が林立した状態で配置され、自体の毛細管現象によって速やかに水ｗを吸収して空気との広い接触面を作り出せるようにしてある。また、太陽熱Ｓ、あるいはファンＦの強制送風等により、コンクリート成形体１に吸水された排水は急速に気化して乾燥するようにしてある。
【００２５】
また、コンクリート成形体１の他の具体的な用途を挙げれば、コンクリート成形体１の製造に際し、柔軟性骨材３および無機質混和剤４に加えて、これに植物栄養剤を混入しておく。図３に示すように、乾燥地帯の耕地化、緑化、農園化等の目的のために、例えば花や野菜等の植物ｒを栽培するに際し、肥土Ｑの下にブロック化したコンクリート成形体１を埋設しておく。このとき充分なボリュームを持たせて乾燥地帯の地下に埋設施工すれば雨季に大量に降った雨水を乾燥地帯の地下で相当期間保水できるものとなる。
【００２６】
尚、上記したようなコンクリート成形体１の用途は、本発明を何等限定するものではなく、他の様々な用途、例えば、土木工事用、ビル屋上緑化・農園化用、多空隔による断熱壁材・防音壁材等の機能を付与するための建築用壁材、擁壁材等、種々に使用することができる。また、コンクリート成形体１の形状もブロック以外に、用途に応じてプレート状、棒状等に成形しても良い。
【図面の簡単な説明】
【００２７】
【図１】本発明を実施するための最良の形態を示すもので、（ａ）はコンクリート成形体の一部切欠斜視図、（ｂ）はコンクリート成形体を断熱壁材・防音壁材として使用した場合の一部切欠斜視図である。
【図２】同じくコンクリート成形体の用途を説明する断面図である。
【図３】同じくコンクリート成形体の他の用途を説明する断面図である。
【符号の説明】
【００２８】
Ｐ  排水路
Ｑ  肥土
Ｓ  太陽熱
Ｆ  ファン
１  コンクリート成形体
２  セメント
３  柔軟性骨材
４  無機質混和剤
【図１】
2006027959.tif 000003
【図２】
2006027959.tif 000004
【図３】
2006027959.tif 000005